(57)【要約】【課題】ソール部の前部の剛性分布を設計値通りとすることが容易なゴルフクラブヘッドを提供することを目的とする。【解決手段】ゴルフクラブヘッド１は、フェース部２と、クラウン部３と、ソール部４と、サイド部５と、ホゼル部６とを有する。ソール部４及びフェース部２の内面のトウ側及びヒール側にそれぞれ筋溝８，９が設けられている。筋溝８，９はそれぞれ三角形又は多角形を描くようにメッシュ状に延在している。クラウン部３の前部にも筋溝１１が設けられている。【選択図】図２
2014110848.tif 000002
【特許請求の範囲】
【請求項１】
フェース部、クラウン部、サイド部、ソール部及びホゼル部を有し、ソール部の少なくとも前部が金属製であるゴルフクラブヘッドにおいて、
該ソール部の内面の前部の少なくとも一部とクラウン部の少なくとも一部に、メッシュ状に延在した筋溝が設けられていることを特徴とするゴルフクラブヘッド。
【請求項２】
請求項１において、筋溝は三角形又は四角形以上の多角形を描くようにメッシュ状に延在していることを特徴とするゴルフクラブヘッド。
【請求項３】
請求項２において、筋溝の深さは筋溝以外の前記ソール部の前部の平均厚さの１０〜４０％であり、筋溝の幅が０．１〜０．６ｍｍであることを特徴とするゴルフクラブヘッド。
【請求項４】
請求項１ないし３のいずれか１項において、ソール部の前部のうちトウ側とヒール側にそれぞれ前記筋溝が設けられていることを特徴とするゴルフクラブヘッド。
【請求項５】
請求項２において、ソール部の前部の全体に筋溝が設けられており、三角形又は多角形の平均面積がトウ側及びヒール側に比べて中央側において大きくなっていることを特徴とするゴルフクラブヘッド。
【請求項６】
請求項１ないし５のいずれか１項において、クラウン部の前記筋溝はクラウン部の前部に設けられていることを特徴とするゴルフクラブヘッド。
【請求項７】
請求項１ないし６のいずれか１項において、前記フェース部の内面の少なくとも一部に、メッシュ状に延在した筋溝が設けられていることを特徴とするゴルフクラブヘッド。
【請求項８】
請求項７において、フェース部の内面のうちトウ側とヒール側にそれぞれ前記筋溝が設けられていることを特徴とするゴルフクラブヘッド。
【請求項９】
請求項７において、該フェース部の筋溝は三角形又は四角形以上の多角形を描くようにメッシュ状に延在しており、フェース部の内面の全体に筋溝が設けられており、該筋溝で囲まれる三角形又は多角形の平均面積がトウ側及びヒール側に比べて中央側において大きくなっていることを特徴とするゴルフクラブヘッド。
【発明の詳細な説明】
【技術分野】
【０００１】
本発明は、中空ゴルフクラブヘッドに係り、詳しくは、少なくともソール部の前部が金属プレートよりなり、該ソール部の前部の剛性を調節したゴルフクラブヘッドに関するものである。
【背景技術】
【０００２】
ドライバーやフェアウェーウッドなどのウッド型ゴルフクラブヘッドとして、中空の金属製のものが広く用いられている。一般に、中空のウッド型のゴルフクラブヘッドは、ボールをヒットするためのフェース部と、ゴルフクラブヘッドの上面部を構成するクラウン部と、ゴルフクラブヘッドの底面部を構成するソール部と、ゴルフクラブヘッドのトウ側、バック側及びヒール側の側面部を構成するサイド部と、ホゼル部とを有している。このホゼル部にシャフトが挿入され、接着剤等によって固定される。
【０００３】
この中空ゴルフクラブヘッドを構成する金属としては、アルミニウム合金、ステンレスやチタン合金が用いられているが、近年は特にチタン合金が広く用いられている。
【０００４】
特許文献１には、ソール部のバック側とフェース側を厚肉とし、それらの間を薄肉としたゴルフクラブヘッドが記載されている。特許文献２には、ソール部のヒール側を厚肉とし、トウ側を薄肉としたゴルフクラブヘッドが記載されている。
【先行技術文献】
【特許文献】
【０００５】
【特許文献１】特開２００７−５４２００
【特許文献２】特開２０１１−３０８３６
【発明の概要】
【発明が解決しようとする課題】
【０００６】
ソール部に厚肉部と薄肉部とを設けた場合、ボールを打ったインパクト時に生じる応力が厚肉部と薄肉部との境界に集中するので、ヘッド構成材料として十分な強度を有したものを採用する必要があり、材料選択の自由度が小さくなる。
【０００７】
本発明は、ソール部の前部とクラウン部の剛性分布を設計値通りとすることが容易なゴルフクラブヘッドを提供することを目的とする。
【０００８】
また、本発明は、その一態様において、フェース部の剛性分布を設計値通りとすることが容易なゴルフクラブヘッドを提供することを目的とする。
【課題を解決するための手段】
【０００９】
本発明のゴルフクラブヘッドは、フェース部、クラウン部、サイド部、ソール部及びホゼル部を有し、ソール部の少なくとも前部が金属製であるゴルフクラブヘッドにおいて、該ソール部の前部の内面の少なくとも一部とクラウン部の少なくとも一部に、メッシュ状に延在した筋溝が設けられていることを特徴とするものである。
【００１０】
筋溝は、三角形又は四角形以上の多角形を描くようにメッシュ状に延在していることが好ましい。
【００１１】
筋溝の深さは筋溝以外の前記ソール部の前部の平均厚さの１０〜４０％であり、筋溝の幅が０．１〜０．６ｍｍであることが好ましい。
【００１２】
本発明の一態様では、ソール部の前部のうちトウ側とヒール側にそれぞれ前記筋溝が設けられている。別の一態様では、ソール部の前部の全体に筋溝が設けられており、三角形又は多角形の平均面積がトウ側及びヒール側に比べて中央側において大きくなっている。
【００１３】
本発明の一態様では、クラウン部の前部に筋溝が設けられている。
【００１４】
本発明では、前記フェース部の内面の少なくとも一部に、メッシュ状に延在した筋溝が設けられていてもよい。この場合、フェース部の内面のうちトウ側とヒール側にそれぞれ前記筋溝が設けられていてもよい。また、フェース部内面の全体に筋溝が設けられており、筋溝で囲まれる三角形又は多角形の平均面積がトウ側及びヒール側に比べて中央側において大きくなっている構成とされてもよい。
【発明の効果】
【００１５】
本発明のゴルフクラブヘッドにあっては、ソール部の前部の内面とクラウン部に筋溝を設けたことにより、この部分の剛性を調節することができる。
【００１６】
本発明において、ソール部の前部のトウ側及びヒール側に筋溝が設けられた場合には、当該部分の剛性がソール部の前部のセンター領域に比べて低くなる。そのため、ボールをフェースセンターよりもトウ側で打ったときには、フェース面のトウ側の撓みがセンター側よりも大きくなり、ボールにフック系スピンがかかり易くなる。そのため、トウ側でヒットされることによりやや右方向（右利きプレーヤーの場合）に飛び出したボールにフックないしドローがかかり、フェアウェーセンター側に戻り易くなる。
【００１７】
また、逆にボールをフェースセンターよりもヒール側で打ったときには、フェース面のヒール側の撓みがセンター側よりも大きくなり、ボールにスライス系スピンがかかり易くなる。そのため、ヒール側でヒットされることによりやや左方向（右利きプレーヤーの場合）に飛び出したボールにスライスないしフェードがかかり、フェアウェーセンター側に戻り易くなる。
【００１８】
ソール部の前部の全体に筋溝を設け、筋溝が描く三角形又は多角形の面積を前部のセンター領域で大きくし、トウ側及びヒール側で小さくすることによっても、上記と同様の効果を得ることができる。
【００１９】
本発明のゴルフクラブヘッドは、クラウン部に筋溝が設けられており、ボールを打ったインパクト時にクラウン部が撓み、ボールの打ち出し角が高くなり、ヘッドスピードの小さいプレーヤーがショットした場合に飛距離が増大する。
【００２０】
本発明において、フェース面の裏面のトウ側及びヒール側に筋溝を設けることにより、上記の作用効果がより顕著なものとなる。フェース面の裏面の全体に筋溝を設け、筋溝が描く三角形又は多角形の面積をフェース面のセンター領域で大きくし、トウ側及びヒール側で小さくすることによっても、上記の作用効果がより顕著なものとなる。
【図面の簡単な説明】
【００２１】
【図１】（ａ）図は実施の形態に係るゴルフクラブヘッドの斜視図、（ｂ）図は（ａ）図のＢ−Ｂ線段面図である。
【図２】図１のII−II線断面図である。
【図３】図２のIII−III線断面図である
【図４】図１のIV−IV線矢視図である
【図５】実施の形態に係るゴルフクラブヘッドの斜視図である。
【図６】図５のVI−VI線断面図である。
【図７】図６のVII−VII線断面図である。
【図８】図７のVIII−VIII線断面図である。
【図９】図７のIX−IX線断面図である。
【発明を実施するための形態】
【００２２】
以下、図１〜４を参照して第１の実施の形態について説明する。
【００２３】
このゴルフクラブヘッド１は、中空ドライバーヘッドであり、フェース部２と、クラウン部３と、ソール部４と、サイド部５と、ホゼル部６とを有する。このゴルフクラブヘッドはチタン又はチタン合金製である。フェース部２のフェース面にはスコアライン（図示略）が設けられている。
【００２４】
図１（ｂ）及び図２の通り、ソール部４の内面の前部には、筋溝８が、三角形又は四角形以上の多角形を組み合わせた亀甲様の紋様を描くようにメッシュ状に延在している。このソール部前部の筋溝８以外の領域の厚さ（肉厚）は０．５〜１．０ｍｍ特に０．６〜０．８ｍｍ程度が好ましい。筋溝８の深さはこの厚さの１０〜４０％特に１５〜３０％程度が好ましい。筋溝８の幅は０．１〜０．６ｍｍ特に０．２〜０．３ｍｍ程度が好ましい。筋溝８によって囲まれる三角形又は多角形の平均面積は、１０〜１５０ｍｍ２特に１５〜１００ｍｍ２程度とされるが、これに限定されない。
【００２５】
筋溝８を設けた領域の前後方向の幅Ｌは１５〜４０ｍｍ特に２０〜３０ｍｍ程度とされるが、これに限定されない。
【００２６】
この実施の形態では、筋溝８はソール部４の内面前部のうちトウ側及びヒール側に設けられている。トウ側及びヒール側において筋溝８を設けた各領域のトウ・ヒール方向の幅は、それぞれ、フェース部２のトウ・ヒール方向の最大幅の４０〜９５％特に６０〜８０％程度とされるが、これに限定されない。
【００２７】
この筋溝８は、ソール部４をプレス成形するためのプレス金型に、筋溝８を形成するための突条部を設けておき、プレス成形時に併せて形成することが好ましい。
【００２８】
この実施の形態では、図４の通りフェース面の内面（裏面）のうちトウ側及びヒール側にそれぞれ筋溝９を設けている。筋溝９の好ましい設置態様は筋溝８と同様である。
【００２９】
この実施の形態では、図５〜９の通り、クラウン部３の内面（中空ゴルフクラブヘッド１の空洞部の天井面）は前縁側が筋溝形成領域Ａ１となっており、この筋溝形成領域Ａ１よりも後側の大部分（クラウン周縁部を除いた主要中央領域）が凹所形成領域Ａ２となっている。
【００３０】
図７及び図９の通り、筋溝形成領域Ａ１には、筋溝１１が、三角形又は四角形以上の多角形を組み合わせた亀甲様の紋様を描くようにメッシュ状に延在している。この筋溝形成領域Ａ１の筋溝１１以外の領域の厚さ（肉厚）は０．５〜１ｍｍ特に０．６〜０．８ｍｍ程度が好ましい。筋溝１１の深さはこの厚さの１０〜４０％特に１５〜３０％程度が好ましい。筋溝１１の幅は０．１〜０．６ｍｍ特に０．２〜０．３ｍｍ程度が好ましい。筋溝１１によって囲まれる三角形又は多角形の平均面積は、１０〜１５０ｍｍ２特に１５〜１００ｍｍ２程度とされるが、これに限定されない。
【００３１】
クラウン部３のうち筋溝形成領域Ａ１よりもフェース部２側には筋溝１１は形成されておらず、平坦となっている。また、ホゼル周囲領域にも筋溝１１は形成されておらず、平坦となっている。
【００３２】
筋溝形成領域Ａ１の前後方向の平均幅は１５〜４０ｍｍ特に２０〜３０ｍｍ程度が好ましい。筋溝形成領域Ａ１のトウ・ヒール方向の幅は、フェース部２のトウ・ヒール方向の最大幅の６０〜９５％特に７０〜８０％程度が好ましい。
【００３３】
図７及び図８の通り、凹所形成領域Ａ２にあっては、多数の三角形又は四角形以上の多角形の凹所２１が形成され、凹所２１同士の間が凹所２１同士を区画する凸条２２となっている。凸条２２は、三角形又は四角形以上の多角形を組み合わせた亀甲様の紋様を描くようにメッシュ状に延在している。
【００３４】
凹所２１におけるクラウン部の厚さ（肉厚）は０．３〜０．８ｍｍ特に０．４〜０．６ｍｍ程度が好適である。凸条２２の凹所２１からの高さは０．１〜０．４ｍｍ特に０．１５〜０．３ｍｍ程度が好適である。凸条２２の幅は０．２〜０．８ｍｍ特に０．３〜０．６ｍｍ程度が好ましい。凹所２１の平均面積は、１０〜１５０ｍｍ２特に１５〜１００ｍｍ２程度が好ましい。
【００３５】
クラウン部３のうち凹所形成領域Ａ２のトウ側、ヒール側及びバック側の周縁部には凹所２１は形成されておらず、平坦となっている。また、このクラウン部３の周縁部における厚さは凸条２２部分の厚さと同一であることが好ましいが、それよりも若干大きくてもよい。
【００３６】
凹所形成領域Ａ２の面積は、クラウン部３の面積の５０〜９０％特に６０〜８０％程度が好ましい。この凹所２１は、ケミカルミーリングによって形成されることが好ましい。このケミカルミーリングを行うには、チタン又はチタン合金製のプレートをプレス加工して素板を形成し、この素板の内面側のうち、凹所２１を除いた領域にマスキングを施す。マスキング材としてはアクリル樹脂等の塗料が好適である。その後、フッ酸と硝酸との混酸などのチタン用エッチング液によって素板をケミカルミーリング処理する。この際、素板の外面側の全面をマスキングしておき、素板をエッチング液に浸漬してケミカルミーリング処理するのが好ましい。このケミカルミーリング処理後、素板からマスキング材を除去することにより、図４に示す凹所形成領域Ａ２が形成される。
【００３７】
このように構成されたゴルフクラブヘッドにあっては、ソール部４の前部のトウ側及びヒール側に筋溝８が設けられ、当該部分の剛性がソール部４の前部のセンター領域に比べて低い。そのため、ボールをフェースセンターよりもトウ側で打ったときには、フェース面のトウ側の撓みがセンター側よりも大きくなり、ボールにフック系スピンがかかり易くなる。そのため、トウ側でヒットされることによりやや右方向（右利きプレーヤーの場合）に飛び出したボールにフックないしドローがかかり、フェアウェーセンター側に戻り易くなる。
【００３８】
また、逆にボールをフェースセンターよりもヒール側で打ったときには、フェース面のヒール側の撓みがセンター側よりも大きくなり、ボールにスライス系スピンがかかり易くなる。そのため、ヒール側でヒットされることによりやや左方向（右利きプレーヤーの場合）に飛び出したボールにスライスないしフェードがかかり、フェアウェーセンター側に戻り易くなる。
【００３９】
この実施の形態では、図４の通り、フェース面の裏面のトウ側及びヒール側に筋溝９を設けている。このため、上記の作用効果がより顕著なものとなる。特に、筋溝の深さと幅、筋溝で囲まれる三角形又はそれ以上の多角形領域の大きさを上記範囲とすることにより、上記効果が向上する。
【００４０】
このゴルフクラブヘッド１にあっては、クラウン部３に筋溝１１を有した筋溝形成領域Ａ１と、多数の凹所２１を有した凹所形成領域Ａ２が設けられており、クラウン部３の剛性が低いので、ボールをヒットしたインパクト時にクラウン部３が撓み易く、ボールの打ち出し角が高くなり、ヘッドスピードの小さいプレーヤーが使用した場合、飛距離が増大する。特に、この実施の形態では、凹所形成領域Ａ２が網目状の凸条２２を有しており、フェース側から伝わる力が凹所形成領域Ａ２の全体に伝達され、クラウン部３のほぼ全体が撓むようになり、上記の効果が向上する。
【００４１】
特に、クラウン部３における凹所の大きさ、凸条や筋溝１１の高さ又は深さと幅、筋溝１１で囲まれる三角形又はそれ以上の多角形領域の大きさ、凹所形成領域Ａ２及び筋溝形成領域Ａ１の面積を上記範囲とすることにより、上記効果が向上する。
【００４２】
また、この実施の形態では、フェース面に沿うクラウン最前縁領域は筋溝１１を有しない厚肉平坦面領域となっているため、フェース部が補強されると共に、ボールをトウ側やヒール側で打った場合でも、衝撃がクラウン部３の幅方向全体に効率よく伝達する。さらに、この厚肉のクラウン最前縁領域と凹所形成領域Ａ２との間が筋溝形成領域Ａ１となっており、剛性が両者の中間となっている。そのためクラウン最前縁領域と凹所形成領域Ａ２との境界に応力が集中することがなく、クラウン部３の耐久性に優れる。
【００４３】
また、この実施の形態では、筋溝を設けることによりソール部４及びクラウン部３の前部やフェース部の剛性分布を調節しており、厚肉と薄肉とを設けた場合のような段差部がないので、応力が局所的に集中することがない。このため、材料の強度要求値が緩和され、チタン系金属材料の選択肢が広くなる。
【００４４】
上記実施の形態では、ソール部４の前部及びフェース部２の内面のトウ側及びヒール側に筋溝８，９を設けているが、ソール部４の前部の全体に筋溝８を設け、フェース部２の全体に筋溝９を設けてもよい。この場合、筋溝８，９が描く三角形又は多角形の面積を種々選択する（例えばソール部の前部及びフェース部２のセンター領域では三角形又は多角形の面積を大きくし、トウ側及びヒール側では三角形又は多角形の面積を小さくする。）ことにより、上記と同様の効果を得ることができる。
【００４５】
上記実施の形態は本発明の一例であり、本発明は図示以外の形態とされてもよい。例えば、フェース部２では筋溝を省略してもよい。筋溝８，９，１１が描く紋様は不規則なメッシュ状であってもよく、規則的なメッシュ状であってもよい。
【００４６】
本発明では、フェース部及びソール部以外の一部を繊維強化合成樹脂などによって構成してもよい。
【符号の説明】
【００４７】
１，１’  ゴルフクラブヘッド
２  フェース部
３  クラウン部
４  ソール部
５  サイド部
６  ホゼル部
８，９，１１  筋溝
２１  凹所
２２  凸条
Ａ１  筋溝形成領域
Ａ２  凹所形成領域
【図１】
2014110848.tif 000003
【図２】
2014110848.tif 000004
【図３】
2014110848.tif 000005
【図４】
2014110848.tif 000006
【図５】
2014110848.tif 000007
【図６】
2014110848.tif 000008
【図７】
2014110848.tif 000009
【図８】
2014110848.tif 000010
【図９】
2014110848.tif 000011